(57)【要約】【課題】コンセントの周囲が狭い場所でも使用でき、作業者によるスイッチの切り替えが不要で、様々な形状のコンセントに対応可能な結線確認試験器及び結線確認試験方法を提供する。【解決手段】結線確認試験器１００は、電源部３と接続部１１，１２，１３とを有する発振器１０と、故障内容生成回路２３と規定電圧組合せ判定回路２４と表示部２６とを有する試験器本体２０とからなり、形状の異なるコンセントに対して、試験器本体２０と判定するコンセント４０とを接続するハーネスのピンの短絡位置を変更することにより、規定電圧組合せ判定回路２４による判定時の規定電圧の組合せを変更するようにした。形状の異なるコンセントに対して、ピンの短絡位置の異なる複数のハーネス又は複数の変換プラグの中から対応するハーネス又は変換プラグを選択するようにした。【選択図】図１
2018169300.tif 000002
【特許請求の範囲】
【請求項１】
異なる電圧の２つの直流電源を直列接続した電源部と、前記電源部の両側及び中間からの電線を分電盤内の単相三線式の各端子に接続するための接続部とを有する発振器と、
判定するコンセントの各端子間に印加されている直流電圧を検出する故障内容生成回路と、前記検出された各端子間の直流電圧の組合せと故障内容に応じて予め定めた規定電圧の組合せとを比較して故障内容を判定する規定電圧組合せ判定回路と、前記判定した故障内容を表示する表示部とを有する試験器本体とからなる結線確認試験器であって、
形状の異なるコンセントに対して、前記試験器本体と前記判定するコンセントとを接続するハーネスのピンの短絡位置を変更することにより、前記規定電圧組合せ判定回路による判定時の規定電圧の組合せを変更するようにしたことを特徴とする結線確認試験器。
【請求項２】
前記形状の異なるコンセントに対して、ピンの短絡位置の異なる複数のハーネスの中から対応するハーネスを選択するようにしたことを特徴とする請求項１に記載の結線確認試験器。
【請求項３】
前記形状の異なるコンセントに対して、ピンの短絡位置の異なる複数の変換プラグの中から対応する変換プラグを選択するようにしたことを特徴とする請求項１に記載の結線確認試験器。
【請求項４】
異なる電圧の２つの直流電源を直列接続した電源部の両側及び中間からの電線を分電盤内の単相三線式の各端子に接続し、判定するコンセントの各端子間に印加されている直流電圧を検出し、前記検出された各端子間の直流電圧の組合せと故障内容に応じて予め定めた規定電圧の組合せとを比較して故障内容を判定し、前記判定した故障内容を表示する結線確認試験方法であって、
形状の異なるコンセントに対して、前記判定するコンセントの各端子間に印加されている直流電流を検出するために接続するハーネスのピンの短絡位置を変更することにより、前記判定時の規定電圧の組合せを変更するようにしたことを特徴とする結線確認試験方法。
【請求項５】
前記形状の異なるコンセントに対して、ピンの短絡位置の異なる複数のハーネスの中から対応するハーネスを選択するようにしたことを特徴とする請求項４に記載の結線確認試験方法。
【請求項６】
前記形状の異なるコンセントに対して、ピンの短絡位置の異なる複数の変換プラグの中から対応する変換プラグを選択するようにしたことを特徴とする請求項４に記載の結線確認試験方法。
【発明の詳細な説明】
【技術分野】
【０００１】
本発明は、コンセントが正常に配線されているかどうかを確認するための、結線確認試験器及び結線確認試験方法に関するものである。
【背景技術】
【０００２】
従来、電気設備の受電検査において、コンセントが正常に配線されているかどうかをチェックするためにテスターが使用されており、通電状態のコンセントにおいて、電圧、極性、接地について配線の正誤を点検するようになっている。
【０００３】
ところが、従来のテスターを使用した方法では、接地極付コンセントの場合、電圧、極性、接地の確認はできても、電圧のかかっていない接地線の極と接地側の極との区別ができないという問題があった。
【０００４】
これに対して、特許文献１や特許文献２には、通電状態で接地極付コンセントの配線確認を行う場合に、Ｎ線及びＥ線の誤配線を判別することのできる試験器に関する発明が記載されている。また、引用文献３には、非通電状態で接地極付コンセントの配線確認を行う場合に、Ｎ線及びＥ線の誤配線を判別することのできる試験器に関する発明が記載されている。
【先行技術文献】
【特許文献】
【０００５】
【特許文献１】特開２０１２−２５５７１２号公報
【特許文献２】特開２００７−２７８７５１号公報
【特許文献３】特開平８−２２０１８０号公報
【０００６】
しかしながら、引用文献１や引用文献２に記載された試験器は、コンセントに正常な電圧（商用電源）が通電された状態でなければ作動しないので、配線されて電気設備に初めて通電される受電検査を待たなければ配線の誤りを判定することができない。また、引用文献３に記載された試験器は、非通電状態で使用することが可能であるが、配線の誤りの判定方法に改善の余地がある。
【０００７】
これに対して本発明者らは、特願２０１６−０９８３６１において、非通電状態のコンセントで使用することができ、コンセントの配線の正誤を的確に判定することの可能な結線確認試験器及び結線確認試験方法を提案している。
【０００８】
この結線確認試験器は、電源部と接続部とを有する発振器と、故障内容生成回路と規定電圧組合せ判定回路と表示部とを有する試験器本体とから構成されており、電源部の両側及び中間からの電線を分電盤内の単相三線式の各端子に接続し、判定するコンセントの各端子間に印加されている直流電圧を検出し、検出された各端子間の直流電圧の組合せと故障内容に応じて予め定めた規定電圧の組合せとを比較して故障内容を判定し、判定した故障内容を表示するようにしたものである。
【発明の概要】
【発明が解決しようとする課題】
【０００９】
特願２０１６−０９８３６１において提案した結線確認試験器においては、判定するコンセントの接地線端子の有無によって判定方法を切り替えるために２Ｐ／３Ｐ切替ＳＷを設けている。この２Ｐ／３Ｐ切替ＳＷとしては、試験器本体のプラグに変換アダプタを装着することで自動的に判定方法が切り替わるにように構成したものや、試験器本体にツマミ等を別途設けたものが示されているが、次のような問題があった。すなわち、試験器本体のプラグに変換アダプタを装着する場合、判定するコンセントの周囲が狭い場所では試験器本体が邪魔になってコンセントにプラグを差し込むことができない。また、試験器本体にツマミ等を別途設けた場合には、その都度作業者がスイッチを切り替える必要がある。また、コンセントには２Ｐ／３Ｐの違いだけではなく、同じ３Ｐであっても形状の異なるものが存在するため、これに対応することができない。
【００１０】
本発明は、上記従来の課題を解決するものであり、コンセントの周囲が狭い場所でも使用でき、作業者によるスイッチの切り替えが不要で、様々な形状のコンセントに対応可能な結線確認試験器及び結線確認試験方法を提供するものである。
【課題を解決するための手段】
【００１１】
上記課題を解決するため、本発明の結線確認試験器は、異なる電圧の２つの直流電源を直列接続した電源部と、前記電源部の両側及び中間からの電線を分電盤内の単相三線式の各端子に接続するための接続部とを有する発振器と、判定するコンセントの各端子間に印加されている直流電圧を検出する故障内容生成回路と、前記検出された各端子間の直流電圧の組合せと故障内容に応じて予め定めた規定電圧の組合せとを比較して故障内容を判定する規定電圧組合せ判定回路と、前記判定した故障内容を表示する表示部とを有する試験器本体とからなる結線確認試験器であって、形状の異なるコンセントに対して、前記試験器本体と前記判定するコンセントとを接続するハーネスのピンの短絡位置を変更することにより、前記規定電圧組合せ判定回路による判定時の規定電圧の組合せを変更するようにしたことを特徴とする。
【００１２】
また好ましくは、前記形状の異なるコンセントに対して、ピンの短絡位置の異なる複数のハーネスの中から対応するハーネスを選択するようにしたことを特徴とする。
【００１３】
また好ましくは、前記形状の異なるコンセントに対して、ピンの短絡位置の異なる複数の変換プラグの中から対応する変換プラグを選択するようにしたことを特徴とする。
【００１４】
また本発明の結線確認試験方法は、異なる電圧の２つの直流電源を直列接続した電源部の両側及び中間からの電線を分電盤内の単相三線式の各端子に接続し、判定するコンセントの各端子間に印加されている直流電圧を検出し、前記検出された各端子間の直流電圧の組合せと故障内容に応じて予め定めた規定電圧の組合せとを比較して故障内容を判定し、前記判定した故障内容を表示する結線確認試験方法であって、形状の異なるコンセントに対して、前記判定するコンセントの各端子間に印加されている直流電流を検出するために接続するハーネスのピンの短絡位置を変更することにより、前記判定時の規定電圧の組合せを変更するようにしたことを特徴とする。
【００１５】
また好ましくは、前記形状の異なるコンセントに対して、ピンの短絡位置の異なる複数のハーネスの中から対応するハーネスを選択するようにしたことを特徴とする。
【００１６】
また好ましくは、前記形状の異なるコンセントに対して、ピンの短絡位置の異なる複数の変換プラグの中から対応する変換プラグを選択するようにしたことを特徴とする。
【発明の効果】
【００１７】
本発明の結線確認試験器は、発振器と試験器本体とから構成されている。発振器は、異なる電圧の２つの直流電源を直列接続した電源部と、電源部の両側及び中間からの電線を分電盤内の単相三線式の各端子に接続するための接続部とを有しており、分電盤内の各端子間に直流電圧を印加するようになっている。試験器本体は、故障内容生成回路と、規定電圧組合せ判定回路と、表示部とを有しており、判定するコンセントの各端子間に印加されている直流電圧を検出し、検出された各端子間の直流電圧の組合せと故障内容に応じて予め定めた規定電圧の組合せとを比較して故障内容を判定し、判定した故障内容を表示するようになっている。従って、非通電状態のコンセントで使用することができ、コンセントの配線の正誤を的確に判定することができる。
【００１８】
また、形状の異なるコンセントに対して、試験器本体と判定するコンセントとを接続するハーネスのピンの短絡位置を変更することにより、規定電圧組合せ判定回路による判定時の規定電圧の組合せを変更するようにしたので、ハーネスを用いることで試験器本体が邪魔にならず、コンセントの周囲が狭い場所でも使用できる。また、ピンの短絡位置を変更することで、様々な形状のコンセントに対応することができる。
【００１９】
また、形状の異なるコンセントに対して、ピンの短絡位置の異なる複数のハーネスの中から対応するハーネスを選択するようにした場合には、ハーネスを選択するだけでよいので、作業者によるスイッチの切り替えが不要であるとともに、コンセントの形状に合わせたハーネスを選択すれば間違いがない。
【００２０】
また、形状の異なるコンセントに対して、ピンの短絡位置の異なる複数の変換プラグの中から対応する変換プラグを選択するようにした場合には、変換プラグを選択するだけでよいので、作業者によるスイッチの切り替えが不要であるとともに、コンセントの形状に合わせた変換プラグを選択すれば間違いがない。
【００２１】
また、本発明の結線確認試験方法は、異なる電圧の２つの直流電源を直列接続した電源部の両側及び中間からの電線を分電盤内の単相三線式の各端子に接続し、判定するコンセントの各端子間に印加されている直流電圧を検出し、検出された各端子間の直流電圧の組合せと故障内容に応じて予め定めた規定電圧の組合せとを比較して故障内容を判定し、判定した故障内容を表示するようになっている。従って、非通電状態のコンセントの配線の正誤を的確に判定することができる。
【００２２】
また、形状の異なるコンセントに対して、判定するコンセントの各端子間に印加されている直流電流を検出するために接続するハーネスのピンの短絡位置を変更することにより、判定時の規定電圧の組合せを変更するようにしたので、ハーネスを用いることで試験器本体が邪魔にならず、コンセントの周囲が狭い場所でも使用できる。また、ピンの短絡位置を変更することで、様々な形状のコンセントに対応することができる。
【００２３】
また、形状の異なるコンセントに対して、ピンの短絡位置の異なる複数のハーネスの中から対応するハーネスを選択するようにした場合には、ハーネスを選択するだけでよいので、作業者によるスイッチの切り替えが不要であるとともに、コンセントの形状に合わせたハーネスを選択すれば間違いがない。
【００２４】
また、形状の異なるコンセントに対して、ピンの短絡位置の異なる複数の変換プラグの中から対応する変換プラグを選択するようにした場合には、変換プラグを選択するだけでよいので、作業者によるスイッチの切り替えが不要であるとともに、コンセントの形状に合わせた変換プラグを選択すれば間違いがない。
【００２５】
以上、本発明によれば、非通電状態のコンセントで使用することができ、コンセントの配線の正誤を的確に判定することが可能であるとともに、コンセントの周囲が狭い場所でも使用でき、作業者によるスイッチの切り替えが不要で、様々な形状のコンセントに対応可能な結線確認試験器及び結線確認試験方法を提供することができる。
【図面の簡単な説明】
【００２６】
【図１】本発明の実施形態に係る結線確認試験器の構成図である。
【図２】試験器本体とハーネスの構成図である。
【図３】入力電圧のモデル図である。
【図４】表示部を示す拡大図である。
【図５】実施形態１に係るハーネスの構成図である。
【図６】実施形態２に係るハーネス及び変換プラグの構成図である。
【図７】実施形態３に係るハーネス及び変換プラグの構成図である。
【図８】ハーネスの断線確認方法を示す図である。試験器本体の外観を示す斜視図である。
【発明を実施するための形態】
【００２７】
次に、図１乃至図８を参照して、本発明の実施形態に係る結線確認試験器及び結線確認試験方法について説明する。まず、図１乃至図４を参照して、本実施形態に係る結線確認試験器１００の構成について説明する。
【００２８】
図１は、結線確認試験器１００の構成図である。図１に示すように、結線確認試験器１００は、発振器１０と試験器本体２０とから構成されている。
【００２９】
発振器１０は、主として、異なる電圧の２つの直流電源１，２を直列接続した電源部３と、分電盤内の単相三線式の各端子に接続するための接続部１１，１２，１３とから構成されている。電源部３を構成する異なる電圧の２つの直流電源１，２のうち、直流電源１は２．４Ｖであり、直流電源２は１．２Ｖである。２つの直流電源１，２を直列接続した電源部３は、例えば３本の乾電池とＤＣ／ＤＣ基板等を用いて構成することができる。
【００３０】
接続部１１及び接続部１３は、直列接続した電源部３の両側から電線を介して分電盤に接続するようになっており、プラス側の接続部１１が電源側端子（Ｌ）に接続され、マイナス側の接続部１３が接地線端子（Ｅ）に接続される。また、接続部１２は、直列接続した電源部３の中間（２つの直流電源の間）から電線を介して分電盤の接地側端子（Ｎ）に接続される。
【００３１】
試験器本体２０は、主として、電源ＳＷ２１、２Ｐ／３Ｐ判定部２２、故障内容生成回路２３、規定電圧組合せ判定回路２４、安定直流電圧回路２５、ＬＥＤ表示ランプ部（表示部）２６、バッテリー監視部２７から構成されている。
【００３２】
電源ＳＷ２１は、試験器本体２０を作動させるためのスイッチである。２Ｐ／３Ｐ切替判定部２２は、判定するコンセントの形状によって判定方法を切り替えるためのものである。
【００３３】
故障内容生成回路２３は、判定するコンセントの各端子間に印加されている直流電圧を検出するものであり、検出した各端子間の直流電圧の組合せが、規定電圧組合せ判定回路２４に向けて出力されるようになっている。規定電圧組合せ判定回路２４は、故障内容生成回路２３から出力された直流電圧の組合せと、故障内容に応じて予め定めた規定電圧の組合せとを比較して、故障内容を判定するようになっている。故障内容の判定方法については後述する。
【００３４】
安定直流電圧回路２５は、試験器本体２０の各回路に電源を供給するものである。ＬＥＤ表示ランプ部（表示部）２６は、規定電圧組合せ判定回路２４が判定した故障内容を表示するものである。故障内容の表示方法については後述する。バッテリー監視部２７は、試験器本体２０の電源電圧の低下を監視するものである。
【００３５】
１００Ｖ／２００Ｖ判定回路２８は、誤って電源供給が行われているコンセントに試験器本体２０を接続した場合に、試験器本体２０の内部の素子が破壊されないように制御するためのものである。
【００３６】
試験器本体２０と判定するコンセント４０との間は、図２に示すように、ハーネスによって接続されるようになっている。
【００３７】
結線確認試験器１００を使用するには、まず、発振器１０の接続部１１，１２，１３を分電盤３０内の各端子３１，３２，３３に接続する。そして、試験器本体２０に接続されたハーネスの先端のプラグをコンセント４０に差し込み、電源ＳＷ２１（チェックスイッチ）を押す。そうすると、各接続状態に応じて表示部２６のＬＥＤが点灯する。なお、形状の異なるコンセントの対応方法について後述する。
【００３８】
次に、結線確認試験器１００による結線確認試験方法について、判定方法を中心に詳細に説明する。結線確認試験器１００に接続されたハーネスの先端のプラグをコンセント４０に差し込み、電源ＳＷ２１（チェックスイッチ）を押すと、安定直流電圧回路２５により試験器本体２０の各回路に電源が供給される。
【００３９】
そして、発振器１０から分電盤３０を経由してコンセント４０の各端子間に印加されている直流電圧が、試験器本体２０への入力電圧として、ハーネスを経由して故障内容生成回路２３により検出される。図２は、入力電圧Ｖｉｎのモデル図である。故障内容生成回路２３により検出される入力電圧Ｖｉｎは、差込口（Ｌ）４１と差込口（Ｅ）４３との間の「Ｖ−１ｉｎ」、差込口（Ｎ）４２と差込口（Ｅ）４３との間の「Ｖ−２ｉｎ」の２つである。
【００４０】
このとき、図３に示すような、直流電源２．４Ｖと直流電源１．２Ｖを直列に接続した電源回路をコンセントに接続する方式を考えると、２線以上接続すれば、入力電圧Ｖｉｎは、±３．６Ｖ、±２．４Ｖ、±１．８Ｖ、±１．２Ｖ、±０．６Ｖ、０Ｖの１１種類となる。従って、各接続状態に応じた入力電圧Ｖｉｎの値は、表１のようになる。なお、表１において、例えば「Ｌ−Ｎ逆」はＬ線とＮ線が逆に接続されていることを示し、「Ｌ→Ｅ、Ｅ→Ｎ、Ｎ→Ｌ」はＬ線がＥ線に、Ｅ線がＮ線に、Ｎ線がＬ線に接続されていることを示している。
【００４１】
【表１】
2018169300.tif 000003
【００４２】
次に、本実施形態では、故障内容生成回路２３が、検出した直流電圧（入力電圧Ｖｉｎ）を、以下の式１及び式２により変換し、出力電圧Ｖｏｕｔとして規定電圧組合せ判定回路２４に向けて出力する。
Ｖ−１ｏｕｔ＝Ｖ−１ｉｎ／２＋２．０４８・・・式１
Ｖ−２ｏｕｔ＝Ｖ−２ｉｎ／２＋２．０４８・・・式２
これは、本実施形態において、規定電圧組合せ判定回路２４の入力電圧範囲が０Ｖ〜５Ｖであるため、これに合わせて正の値に変換して出力するものである。なお、規定電圧組合せ判定回路２４の入力電圧範囲によっては、変換せずに入力電圧Ｖｉｎをそのまま出力電圧Ｖｏｕｔとして出力してもよい。
【００４３】
入力電圧Ｖｉｎ（±３．６Ｖ、±２．４Ｖ、±１．８Ｖ、±１．２Ｖ、±０．６Ｖ、０Ｖの１１種類）を上記式１及び式２で変換した後の値を表２に示す。また、各出力電圧値に、電圧種別として電圧Ａ〜電圧Ｋの名称を付与する。
【００４４】
【表２】
2018169300.tif 000004
【００４５】
規定電圧組合せ判定回路２４は、最終的に２つの出力電圧（Ｖ−１ｏｕｔ、Ｖ−２ｏｕｔ）の電圧種別の組合せによって接続状態を判定する。この判定基準を表３に示す。
【００４６】
【表３】
2018169300.tif 000005
【００４７】
このように、故障内容生成回路２３は、検出したコンセント４０の各端子間の直流電圧を変換し、各端子間の直流電圧の組合せ（Ｖ−１ｏｕｔ、Ｖ−２ｏｕｔ）として規定電圧組合せ判定回路２４に出力する。そして、規定電圧組合せ判定回路２４は、各端子間の直流電圧の組合せ（Ｖ−１ｏｕｔ、Ｖ−２ｏｕｔ）と、故障内容に応じて予め定めた表３に示す規定電圧の組合せとを比較して故障内容を判定する。判定した故障内容は表示部２６によって表示される。
【００４８】
なお、形状の異なるコンセントに対しては、規定電圧組合せ判定回路２４による判定時の規定電圧の組合せが、２Ｐ／３Ｐ判定部２２により切り替えられるようになっている。上記で説明した例では、表３における「３Ｐの場合」と「２Ｐの場合」との間で変更されるようになっている。形状の異なるコンセントに対する、判定時の規定電圧の組合せの変更方法については後述する。
【００４９】
次に、本実施形態の試験器本体２０における故障内容の表示方法について説明する。図４は、試験器本体２０の表示部２６を示す拡大図である。表示部２６には、コンセント４０の差込口４１，４２，４３の形状を示す矩形状の表示と、Ｌ，Ｎ，Ｅの記号の表示があり、また各々の差込口に対応した３つのＬＥＤ表示ランプと、「ＯＫ」、「右回り」、「左回り」、「逆」、「断線」の５つのＬＥＤ表示ランプが設けられている。
【００５０】
規定電圧組合せ判定回路２４が判定した故障内容は、表４に示すような表示部２６のＬＥＤ表示ランプの状態によって示される。なお、表４において「○」は点灯、「×」は消灯、「△」は点滅を示している。
【００５１】
【表４】
2018169300.tif 000006
【００５２】
このように、表示部２６に、図３に示すような実際のコンセントの配置と同一となるような図形表示をし、さらにＬＥＤ表示ランプと組み合わせることにより、故障内容を視覚的に表示することができ、作業者の直感に訴えることができる。
【００５３】
なお、ＬＥＤ表示ランプは、ハーネスの先端部分で光らせるようにして、作業者が確認しやすくすることもできる。
【００５４】
次に、形状の異なるコンセントに対する、規定電圧組合せ判定回路による判定時の規定電圧の組合せの変更方法について説明する。以下に示す実施形態１乃至実施形態３は、いずれも試験器本体２０と判定するコンセント４０とを接続するハーネスのピンの短絡位置（ショート位置）を変更することにより、判定時の規定電圧の組合せを変更するようにしたものである。
【００５５】
（実施形態１）
図５は、実施形態１に係るハーネスの構成図である。実施形態１は、形状の異なるコンセントに対して、ピンの短絡位置の異なる複数のハーネスを用意しておいて、その中から対応するハーネスを選択するものである。
【００５６】
図５には、（ａ）〜（ｄ）の各コンセントに対して、４本のハーネス５１，５２，５３，５４が対応している。ハーネス５１は、２Ｐコンセント単相１００Ｖに対応しており、ピン２，３を短絡させたものである。ハーネス５２は、接地極付単相１００Ｖに対応しており、いずれのピンも短絡させていない。ハーネス５３は、接地極付単相２００Ｖに対応しており、ピン２，４を短絡させたものである。ハーネス５４は、三相動力２００Ｖに対応しており、ピン２，３，４を短絡させたものである。
【００５７】
作業者は判定対象のコンセントの形状に合わせてハーネスを選択し、試験器本体２０に接続する。試験器本体２０には、判定時の規定電圧の組合せとして、４種類のコンセントに対応した４種類の組合せが予め記憶されている。選択したハーネスを試験器本体２０に接続すると、短絡位置（短絡なしを含む）情報が故障内容生成回路２３から２Ｐ／３Ｐ判定部２２へと送られ、２Ｐ／３Ｐ判定部２２により規定電圧の組合せが選択され、規定電圧組合せ判定回路２４へと伝えられる。そして、規定電圧組合せ判定回路２４は、選択された規定電圧の組合せにより故障内容を判定し、表示部２６で表示する。
【００５８】
（実施形態２）
図６は、実施形態２に係るハーネス及び変換プラグの構成図である。実施形態２は、形状の異なるコンセントに対して、ピンの短絡位置の異なる複数の変換プラグを用意しておいて、その中から対応する変換プラグを選択するものである。
【００５９】
図６には、（ａ）〜（ｄ）の各コンセントに対して、変換プラグ６１、ハーネス６２、変換プラグ６３、変換プラグ６４が対応している。ハーネス６２は、試験器本体２０側のピンが先端側のプラグまで延伸して配設されている。各変換プラグには、各々異なる位置に差込ピンが設けられており、ハーネス６２先端のプラグに各変換プラグを装着することにより、各変換プラグの差込ピンの位置に応じてハーネス６２のプラグ先端のピンを短絡するようになっている。変換プラグ５１は、２Ｐコンセント単相１００Ｖに対応しており、ハーネス６２に装着することで、プラグ先端のピン２，３が短絡される。ハーネス６２は、接地極付単相１００Ｖに対応しており、いずれのピンも短絡されない。変換プラグ６３は、接地極付単相２００Ｖに対応しており、ハーネス６２に装着することで、プラグ先端のピン２，４が短絡される。変換プラグ６４は、三相動力２００Ｖに対応しており、ハーネス６２に装着することで、プラグ先端のピン２，３，４が短絡される。
【００６０】
作業者は判定対象のコンセントの形状に合わせて変換プラグを選択し、ハーネス６２先端のプラグに装着し、ハーネス６２を試験器本体２０に接続する。試験器本体２０には、判定時の規定電圧の組合せとして、４種類のコンセントに対応した４種類の組合せが予め記憶されている。選択した変換プラグを装着したハーネス（変換プラグなしを含む）を試験器本体２０に接続すると、短絡位置（短絡なしも含む）情報が故障内容生成回路２３から２Ｐ／３Ｐ判定部２２へと送られ、２Ｐ／３Ｐ判定部２２により規定電圧の組合せが選択され、規定電圧組合せ判定回路２４へと伝えられる。そして、規定電圧組合せ判定回路２４は、選択された規定電圧の組合せにより故障内容を判定し、表示部２６で表示する。
【００６１】
（実施形態３）
図７は、実施形態３に係るハーネス及び変換プラグの構成図である。実施形態３は、２Ｐ及び３Ｐの２種類のコンセントに対して、変換プラグの装着によりピンを短絡させるものである。
【００６２】
図７に示すハーネス７２には、変換プラグ７１が附属している。ハーネス７２は、試験器本体２０側のピンが先端側のプラグまで延伸して配設されている。そして、ハーネス７２先端のプラグに変換プラグ７１を装着することにより、ピンを短絡するようになっている。
【００６３】
作業者は判定対象のコンセントが３Ｐの場合は変換プラグ７１を装着せず、２Ｐの場合には変換プラグ７１を装着する。試験器本体２０には、判定時の規定電圧の組合せとして、２種類のコンセントに対応した２種類の組合せが予め記憶されている。変換プラグ７１を装着又は非装着したハーネス７２を試験器本体２０に接続すると、短絡あり情報又は短絡なし情報が故障内容生成回路２３から２Ｐ／３Ｐ判定部２２へと送られ、２Ｐ／３Ｐ判定部２２により規定電圧の組合せが選択され、規定電圧組合せ判定回路２４へと伝えられる。そして、規定電圧組合せ判定回路２４は、選択された規定電圧の組合せにより故障内容を判定し、表示部２６で表示する。
【００６４】
なお、ハーネスの使用にあたっては、使用前にハーネス自体が断線していないかを確認する必要がある。図８は、ハーネスの断線確認方法を示す図である。まず、ハーネス５０を試験器本体２０に接続する。次に、発振器１０の接続部１１，１２，１３を極性を合わせてハーネス５０先端のプラグに接続する。次に、発振器１０の電源をＯＮにする。次に、試験器本体２０の電源をＯＮにする。ハーネスに断線がなければ、正常のランプが光る。以上により、ハーネス自体が断線していないかを確認することができる。
【００６５】
本実施形態に係る結線確認試験器１００は、発振器１０と試験器本体２０とから構成されている。発振器１０は、異なる電圧の２つの直流電源１，２を直列接続した電源部３と、電源部３の両側及び中間からの電線を分電盤内の単相三線式の各端子Ｌ，Ｎ，Ｅに接続するための接続部１１，１２，１３とを有しており、分電盤内の各端子間に直流電圧を印加するようになっている。試験器本体２０は、故障内容生成回路２３と、規定電圧組合せ判定回路２４と、表示部２６とを有しており、判定するコンセント４０の各端子間に印加されている直流電圧を検出し、検出された各端子間の直流電圧の組合せと故障内容に応じて予め定めた規定電圧の組合せとを比較して故障内容を判定し、判定した故障内容を表示するようになっている。従って、非通電状態のコンセントで使用することができ、コンセントの配線の正誤を的確に判定することができる。
【００６６】
また、形状の異なるコンセントに対して、試験器本体２０と判定するコンセント４０とを接続するハーネスのピンの短絡位置を変更することにより、規定電圧組合せ判定回路２４による判定時の規定電圧の組合せを変更するようにしたので、ハーネスを用いることで試験器本体２０が邪魔にならず、コンセントの周囲が狭い場所でも使用できる。また、ピンの短絡位置を変更することで、様々な形状のコンセントに対応することができる。
【００６７】
また、形状の異なるコンセントに対して、ピンの短絡位置の異なる複数のハーネスの中から対応するハーネスを選択するようにした場合には、ハーネスを選択するだけでよいので、作業者によるスイッチの切り替えが不要であるとともに、コンセントの形状に合わせたハーネスを選択すれば間違いがない。
【００６８】
また、形状の異なるコンセントに対して、ピンの短絡位置の異なる複数の変換プラグの中から対応する変換プラグを選択するようにした場合には、変換プラグを選択するだけでよいので、作業者によるスイッチの切り替えが不要であるとともに、コンセントの形状に合わせた変換プラグを選択すれば間違いがない。
【００６９】
このように、本実施形態に係る結線確認試験器１００及び結線確認方法によれば、非通電状態のコンセントで使用することができ、コンセントの配線の正誤を的確に判定することが可能であるとともに、コンセントの周囲が狭い場所でも使用でき、作業者によるスイッチの切り替えが不要で、様々な形状のコンセントに対応可能である。
【００７０】
以上、本発明の実施形態に係る結線確認試験器１００及び結線確認試験方法について説明したが、本発明は上述した実施の形態に限定されるわけではなく、その他種々の変更が可能である。例えば、発振器１０の同電圧の２つの直流電源を２．４Ｖ、１．２Ｖとしたが、異なる電圧であればこれに限定されない。
【００７１】
また、判定結果が正常でない場合には、ブザー等の音声により知らせるようにしてもよい。
【００７２】
なお、本発明の結線確認試験器は、非通電状態の分電盤及びコンセントに接続して使用するものであり、通電状態の分電盤及びコンセントに接続して使用することはできない。ただし、誤って通電状態の分電盤及びコンセントに接続しても対象回路に影響を与えないように、発振器及び試験器本体の各々に保護回路を設けることが好ましい。
【符号の説明】
【００７３】
１  直流電源
２  直流電源
３  電源部
１０  発振器
１１  接続部（Ｌ）
１２  接続部（Ｎ）
１３  接続部（Ｅ）
２０  試験器本体
２１  電源ＳＷ
２２  ２Ｐ／３Ｐ判定部
２３  故障内容生成回路
２４  規定電圧組合せ判定回路
２５  安定直流電圧回路
２６  ＬＥＤランプ部（表示部）
２７  バッテリー監視部
２８  １００Ｖ／２００Ｖ判定回路
３０  分電盤
３１  電源側端子（Ｌ）
３２  接地側端子（Ｎ）
３３  接地線端子（Ｅ）
４０  コンセント
４１  差込口（Ｌ）
４２  差込口（Ｎ）
４３  差込口（Ｅ）
５０  ハーネス
５１  ハーネス
５２  ハーネス
５３  ハーネス
５４  ハーネス
６１  変換プラグ
６２  ハーネス
６３  変換プラグ
６４  変換プラグ
７１  変換プラグ
７２  ハーネス
１００  結線確認試験器
【図１】
2018169300.tif 000007
【図２】
2018169300.tif 000008
【図３】
2018169300.tif 000009
【図４】
2018169300.tif 000010
【図５】
2018169300.tif 000011
【図６】
2018169300.tif 000012
【図７】
2018169300.tif 000013
【図８】
2018169300.tif 000014